(57)【要約】【課題】  折り曲げられた眼内レンズを嚢内で開放する際の眼内レンズの回転運動の開始やその回転量を術者自身によって好適にコントロールする。【解決手段】  眼内レンズ保持するとともに眼球に設けられた切開創に眼内レンズを挿入するための挿入部と、該挿入部が先端に設けられた筒構造の挿入器具本体と、前記挿入部から眼内レンズを押し出すために前記挿入器具本体の筒内で軸方向に進退移動可能に設けられた押出手段と、を備え変形可能な眼内レンズを眼内に挿入するための眼内レンズ挿入器具において、前記挿入器具本体は、鍔部と、該鍔部もしくは該鍔部の近傍に設けられ，前記眼内レンズの押出動作の際に挿入器具本体を軸中心に回転させるための補助となる指掛部と、を持つ。【選択図】      図６
2008212219.tif 000002
【特許請求の範囲】
【請求項１】
眼内レンズ保持するとともに眼球に設けられた切開創に眼内レンズを挿入するための挿入部と、該挿入部が先端に設けられた筒構造の挿入器具本体と、前記挿入部から眼内レンズを押し出すために前記挿入器具本体の筒内で軸方向に進退移動可能に設けられた押出手段と、を備え変形可能な眼内レンズを眼内に挿入するための眼内レンズ挿入器具において、
前記挿入器具本体は、鍔部と、該鍔部もしくは該鍔部の近傍に設けられ，前記眼内レンズの押出動作の際に挿入器具本体を軸中心に回転させるための補助となる指掛部と、を持つことを特徴とする眼内レンズ挿入器具。
【請求項２】
請求項１の眼内レンズ挿入器具において、前記指掛部は前記鍔部からさらに挿入器具本体に対して外側に突き出た状態で形成されていることを特徴とする眼内レンズ挿入器具。
【請求項３】
請求項１の眼内レンズ挿入器具において、
前記指掛部は、前記押出動作を行う術者の手の中指であって、挿入器具本体の下端側に位置される中指の末節部もしくは中節部が引っ掛けられる指掛部であって、
該指掛部に引っ掛けられた中指が術者によって掌側に閉じられることにより前記挿入器具本体が回転されることを特徴とする眼内レンズ挿入器具。
【請求項４】
請求項１の眼内レンズ挿入器具において、
前記指掛部は、前記眼内レンズの支持部の眼内での回動を相殺できる範囲だけ、挿入器具を回転させることができる程度の自由度が得られるように配設されていることを特徴とする眼内レンズ挿入器具。
【請求項５】
請求項１の眼内レンズ挿入器具において、
前記指掛部は、前記眼内レンズの押出動作に伴い前記眼内レンズの支持部が時計方向に回転される構成の場合、前記眼内レンズの押出動作に伴って回転される前記支持部の回転開始時点での前記支持部の傾斜角度が略水平になるように前記挿入器具本体の回転角度が調整された状態において、前記押出手段に設けられた押出部から前記挿入器具本体を見たときに、６時方向から９時方向の範囲内に前記指掛部の引掛面が位置されるように配設され、
前記眼内レンズの押出動作に伴い前記眼内レンズの支持部が反時計方向に回転される構成の場合、前記眼内レンズの押出動作に伴って回転される前記支持部の回転開始時点での前記支持部の傾斜角度が略水平になるように前記挿入器具本体の回転角度が調整された状態において、前記押出手段に設けられた押出部から前記挿入器具本体を見たときに、３時方向から６時方向の範囲内に前記指掛部の引掛面が位置されるように配設されていることを特徴とする眼内レンズ挿入器具。
【発明の詳細な説明】
【技術分野】
【０００１】
本発明は、眼内レンズを眼内に挿入するための眼内レンズ挿入器具に関する。
【背景技術】
【０００２】
眼内レンズを眼内に挿入するための眼内レンズ挿入器具としてインジェクターを用いる場合、折り曲げられた眼内レンズを嚢内で開放する際の眼内レンズの開放状態に合わせて術者がインジェクターを徐々に軸中心に回転させ、眼内レンズの回転角度を変化させることにより、開放時における眼内レンズ支持部による嚢への負担を抑えることが可能である。
【０００３】
このようなインジェクターの回転動作を助けるために、眼内レンズを押し出すピストン（プランジャーと呼ばれる押出棒）に螺旋状のガイド溝を設け、ピストンの押し出し操作時にこのガイド溝に沿ってピストンが所定量回転することにより、眼内レンズ開放時の回転角度変化を行うものが知られている（特許文献１）。
【特許文献１】特開２００３−１４４４８０号公報
【発明の開示】
【発明が解決しようとする課題】
【０００４】
しかしながら、ピストンにガイド溝を設け、押し出し量に応じてピストンを回転させる（眼内レンズを回転させる）ようにする場合、その回転運動の開始やその回転量を術者が好むようにコントロールすることは難しい。
【０００５】
本発明は、上記従来技術の問題点に鑑み、折り曲げられた眼内レンズを嚢内で開放する際の眼内レンズの回転運動の開始やその回転量を術者自身によって好適にコントロールすることが可能な眼内レンズ挿入器具を提供することを技術課題とする。
【課題を解決するための手段】
【０００６】
上記課題を解決するために、本発明は以下のような構成を備えることを特徴とする。
【０００７】
（１）  眼内レンズ保持するとともに眼球に設けられた切開創に眼内レンズを挿入するための挿入部と、該挿入部が先端に設けられた筒構造の挿入器具本体と、前記挿入部から眼内レンズを押し出すために前記挿入器具本体の筒内で軸方向に進退移動可能に設けられた押出手段と、を備え変形可能な眼内レンズを眼内に挿入するための眼内レンズ挿入器具において、前記挿入器具本体は、鍔部と、該鍔部もしくは該鍔部の近傍に設けられ，前記眼内レンズの押出動作の際に挿入器具本体を軸中心に回転させるための補助となる指掛部と、を持つことを特徴とする。
（２）  （１）の眼内レンズ挿入器具において、前記指掛部は前記鍔部からさらに挿入器具本体に対して外側に突き出た状態で形成されていることを特徴とする。
（３）  （１）の眼内レンズ挿入器具において、
前記指掛部は、前記押出動作を行う術者の手の中指であって、挿入器具本体の下端側に位置される中指の末節部もしくは中節部が引っ掛けられる指掛部であって、
該指掛部に引っ掛けられた中指が術者によって掌側に閉じられることにより前記挿入器具本体が回転されることを特徴とする。
（４）  （１）の眼内レンズ挿入器具において、
前記指掛部は、前記眼内レンズの支持部の眼内での回動を相殺できる範囲だけ、挿入器具を回転させることができる程度の自由度が得られるように配設されていることを特徴とする。
（５）  （１）の眼内レンズ挿入器具において、
前記指掛部は、前記眼内レンズの押出動作に伴い前記眼内レンズの支持部が時計方向に回転される構成の場合、前記眼内レンズの押出動作に伴って回転される前記支持部の回転開始時点での前記支持部の傾斜角度が略水平になるように前記挿入器具本体の回転角度が調整された状態において、前記押出手段に設けられた押出部から前記挿入器具本体を見たときに、６時方向から９時方向の範囲内に前記指掛部の引掛面が位置されるように配設され、
前記眼内レンズの押出動作に伴い前記眼内レンズの支持部が反時計方向に回転される構成の場合、前記眼内レンズの押出動作に伴って回転される前記支持部の回転開始時点での前記支持部の傾斜角度が略水平になるように前記挿入器具本体の回転角度が調整された状態において、前記押出手段に設けられた押出部から前記挿入器具本体を見たときに、３時方向から６時方向の範囲内に前記指掛部の引掛面が位置されるように配設されていることを特徴とする。
【発明の効果】
【０００８】
本発明によれば、折り曲げられた眼内レンズを嚢内で開放する際の眼内レンズの回転運動の開始やその回転量を術者自身によって好適にコントロールできる。
【発明を実施するための最良の形態】
【０００９】
以下に本発明の実施の形態を図面に示しながら説明する。図１は本実施の形態で使用する眼内レンズ挿入器具１の外観を示した概略外観図である。図１（ａ）は眼内レンズ挿入器具１を上方から、図１（ｂ）は側方から見た状態を示している。
【００１０】
眼内レンズ挿入器具１は、眼球に挿入する側から順に、眼球に形成される切開創に挿入する挿入部を備え、眼内レンズ４０（図２参照）を設置するための載置部が設けられたレンズ保持部１０（以下、カートリッジという）と、先端にカートリッジ１０を装着する挿入器具本体となる筒部２０と、カートリッジ１０及び筒部２０の内部を挿通し、筒部２０に装着されたカートリッジ１０先端から眼内レンズ４０を外部に押し出すための押出機構部３０、とからなる。
【００１１】
また、筒部２０の後端（基端）にはフランジ（鍔部）２０ａが形成されている。ここで、カートリッジ１０の先端から眼内レンズを押し出すために術者の一方の手の親指にて押出部２２が押込まれる（以下、押出動作とする）際に、通常、フランジ２０ａによって押出動作を行う手の人差し指と中指が引っ掛けられる（係止される）ことで、押出動作がスムーズに行われる。このとき、押出動作を行う手の人差し指と中指にて筒部２０が挟持されつつ人差し指と中指の腹側がフランジ２０ａに当接された状態となる。
【００１２】
また、フランジ２０ａには、フランジ２０ａからさらに挿入器具本体に対して外側に突き出た状態で指掛部（突出部）５０が形成されている（図４参照）。より具体的には、フランジ２０ａの外周面２０ｂよりもさらに筒部２０の軸方向（長手方向）と直交する方向に突き出された状態で形成されている。
【００１３】
この指掛部５０は、眼内レンズ４０の押出動作の際に挿入器具本体（筒部２０）を軸中心に回転させるための補助となる。より具体的には、指掛部５０は、押出動作を行う手の指であって、筒部２０を指の間に挟み持った際に下側に位置する指（例えば中指や薬指等）によって引っ掛けられる位置に設けられている。なお、指掛部５０は、筒部２０のフランジ２０ａの近傍に設けるようにしてもよい。
【００１４】
図２は眼内レンズ４０の構成を示した図である。眼内レンズ４０は所定の屈折力を有する光学部４１と光学部４１を眼内で支持するための支持部４２からなる。本実施形態で用いる眼内レンズ４０の光学部４１は、ＨＥＭＡ（ヒドロキシエチルメタクリレート）等の単体や、アクリル酸エステルとメタクリル酸エステルの複合材料等の従来、折り曲げ可能な軟性の眼内レンズに用いられている材料から形成されている。また、支持部４２もＰＭＭＡ（ポリメチルメタクリレート）等の従来、眼内レンズの支持部として用いられている材料から形成されている。
【００１５】
図３はカートリッジ１０の構成を示した図であり、図３（ａ）は斜視図を、図３（ｂ）はカートリッジ１０を上方から見た状態を示している。
【００１６】
図に示すように、カートリッジ１０は先端に向かうにしたがって、その径が徐々に小さく（細く）なるテーパ形状を有する挿入部１１と、眼内レンズ４０を設置する載置部１２とが一体的に形成されている。なお、カートリッジ１０は、その全体が合成樹脂にて形成されており、一度の使用で廃棄する使い捨てタイプとなっている。
【００１７】
挿入部１１は中空の筒形状となっており、折りたたまれた眼内レンズ４０がこの中空部分を通して外部に送り出されるようになっている。また、載置部１２は、２つの半割部材１２ａ，１２ｂから形成されており、図３（ａ）に示すように半割部材１２ａ及び１２ｂの下縁同士がヒンジ部１３によって連結され、開閉可能となっている。１４ａ及び１４ｂは半割部材１２ａ，１２ｂに各々設けられた載置台であり、眼内レンズ４０を載せる載置面の形状（壁面形状）は、眼内レンズ４０を折り曲げる方向に沿った曲面を有している１６はカートリッジ１０を持つための把持部である。
【００１８】
また、半割部材１２ａ及び１２ｂを閉じ合わせると、載置台の壁面形状（載置面形状）が変形し、挿入部１１の基端側開口形状（半円形状）と略一致するようになっている（図４参照）。また、半割部材１２ａ，１２ｂが閉じ合ったときの載置部１２の外形は、後述する筒部２０の内壁形状と略一致するようになっている。１５ａ及び１５ｂは半割部材１２ａ，１２ｂの各々に設けられたカバーであり、半割部材１２ａと半割部材１２ｂとが閉じ合ったときに、載置台１４ａ及び載置台１４ｂの上方を覆うように形成されている。
【００１９】
このような構成を備えるカートリッジ１０は、載置部１２が開いた状態（２つの半割部材が離れている状態）のときに、眼内レンズ４０を載置台１４ａ及び載置台１４ｂ上にセットし、その後、カートリッジ１０を筒部２０に装着することによって、判割部材１２ａと半割部材１２ｂとが閉じ合い、眼内レンズ４０を折り畳むことができる。使用する眼内レンズは前述したように、既存する折り曲げ可能な眼内レンズを用いることができる。
【００２０】
図４は筒部２０の外観構成を示した斜視図、図５は筒部２０の内部構成を示した断面図である。
【００２１】
図示するように、筒部２０の先端には、カートリッジ１０を着脱するための装着部２１が設けられている。装着部２１は筒部２０の先端を略半割した形状であり、その先端には凸部２２が、基端には凹部２３が筒部２０の中心を挿通する押出棒３１に対して左右対称に各々形成されている。また、凸部２２は筒部２０の中心軸よりも若干上方に位置しており、左右に設けられた凸部２２間の距離は、筒部２０の内径よりも若干狭く（短く）なっている。このような凸部２２の形状は、カートリッジ１０を装着部２１に装着する際に開かれている半割部材１２ａ，１２ｂを閉じ合わせる方向に規制し、その幅を制限するガイドの役目を果たすとともに、装着されたカートリッジ１０を係止し、容易に筒部２０から外れないようにするスナップイン構造を有している。なお、装着部２１の左右の縁部もまた凸部２２と同様に半割部材を閉じ合わせる方向に規制するガイドの役目を果たしている。
【００２２】
また、図示されるように、指掛部５０は、前記押出動作を行う手の指（ここでは中指とする）における掌側（腹側）末節部によって引っ掛けられる引掛面５０ａを持つ。なお、フランジ２０ａに対する指掛部５０の配設位置及び配置角度は、挿入部１１から射出される際の眼内レンズの開放動作に応じて回転される支持部４２の傾斜角度を考慮して決定される。
【００２３】
眼内レンズ挿入器具によって折畳まれた眼内レンズ４０を眼内に挿入する場合、ループ状の支持部４２は、眼内レンズ４０が挿入部１１から射出されて開放していくに従って支持部４２も回動することとなる。その結果、支持部４２の一部が嚢を押さえつけた状態となり嚢に対して必要以上の負担（荷重）がかかってしまう。そこで、これを防ぐために眼内レンズ４０の開放（支持部４２の回動）に合わせて、支持部４２の回動を相殺する（打ち消す）ように眼内レンズ挿入器具を回転させる（１／４回転〜半回転程度）ことが好ましい。したがって、筒部２０に設けられる指掛部５０は、支持部４２の眼内での回動を相殺できる範囲だけ、挿入器具を回転させることができる程度の自由度が得られるように、軸中心に所定の回転角に位置するように配設されていることが好ましい。より具体的には、指掛部５０は、眼内レンズ支持部４２の射出が開始されたときに患者眼の嚢の赤道面に対して支持部４２が略水平になるように筒部２０の角度が調整された状態で、支持部４２の眼内での回動を相殺できる範囲だけ、挿入器具を回転させることができる程度の自由度が得られるようにフランジ２０ａに対して配設されていることが好ましい。
【００２４】
ここで、眼内レンズの押出動作に伴い支持部４２が時計方向に回転されるような構成となっている場合、眼内レンズ４０の押出動作に伴って回転される支持部４２の回転開始時点での支持部４２の傾斜角度が略水平になるように筒部２０の回転角度が調整された状態において（略水平状態）、押出部３３側から筒部２０を見たときに、筒部２０（押出棒３１）の軸中心に対して６時方向から９時方向（１８０°〜２７０°）の範囲内（より好ましくは２２５°付近）に引掛面５０ａが位置されるようにフランジ２０ａに対して指掛部５０を配設するのが好ましい（図６参照）。なお、上記略水平状態は、前述の患者眼の嚢の赤道面に対して支持部４２が略水平になるように筒部２０の角度が調整された状態に対応させることができる。この構成は、右手で押出動作及び筒部２０の回転動作を行う場合に適している（特に、右利きの場合）。ただし、左手でも使用は可能である。
【００２５】
また、眼内レンズの押出動作に伴い支持部４２が反時計方向に回転されるような構成となっている場合、眼内レンズ４０の押出動作に伴って回転される支持部４２の回転開始時点での支持部４２の傾斜角度が略水平になるように筒部２０の回転角度が調整された状態において、押出部３３側から筒部２０を見たときに、筒部２０（押出棒３１）の軸中心に対して３時方向から６時方向（２７０°〜３６０°）の範囲内（より好ましくは３０５°付近）に引掛面５０ａが位置されるようにフランジ２０ａに対して指掛部５０を配設するのが好ましい。なお、水平方向は、患者眼の嚢の赤道面と水平な方向に対応する。この構成は、左手で押出動作及び筒部２０の回転動作を行う場合に適している（特に、左利きの場合）。ただし、右手での使用は可能である。
【００２６】
なお、指掛け部５０の先端側は、前記押出動作を行う手の中指が引っ掛かりやすくなるように、前述の回転方向とは反対の方向に延びる曲線部が形成されている。また、指掛部５０を用いた筒部２０の回転動作について、詳しくは後述する。
【００２７】
また、図５に示すように、筒部２０の内部は中空状となっており、ここに押出機構部３０が筒部２０の軸方向に進退可能に挿通されている。押出機構部３０は押出棒３１、軸部３２、押出部３３から構成されている。押出棒３１は軸部３２の先端に取り付けられており、軸部３２が前方に移動することによって、筒部２０先端に装着されたカートリッジ１０から眼内レンズ４０を前方に押し、筒先から外部へ送り出す役目を果たす。また、軸部３２の基端にはネジ孔が設けられており、ネジ３４が押出部３３の中央に設けられた開口部を介して軸部３２のネジ孔に螺合する。押出部３３の中央に設けられた開口部はネジ３４の直径より若干大きくなっており、押出部３３はネジ３４が軸部３２に設けられたネジ孔に螺合した状態で軸部３２（押出棒３１）及びネジ３４に対して回転可能である。
【００２８】
以上のような構成を備える眼内レンズ挿入器具において、その動作について説明する。
【００２９】
使用者（術者）は、図３に示したカートリッジ１０の載置台１４ａ，１４ｂ上に眼内レンズ４０を置いた後、把持部１６を一方の手で掴んでカートリッジ１０を持ち、装着部２１に設けられた凹部２３にカートリッジ１０の把持部１６（基端側）を嵌合させつつ、載置部１２（半割部材１２ａ，１２ｂ）の底面を凸部２２（または装着部２１の左右の縁部）に押し付けるようにする。載置部１２の底面（下部）を凸部２２（または装着部２１の左右の縁部）に押し付けることにより、凸部２２が半割部材１２ａと半割部材１２ｂとを閉じ合わせるようにガイドすることとなる。さらに載置部１２を装着部２１内に押し込んでいくと、カートリッジ１０は半割部材１２ａと半割部材１２ｂとが閉じ合った状態で装着部２１に装着されることとなる。
【００３０】
このように半割部材１２ａと半割部材１２ｂとが閉じ合った状態では、載置台１４ａと載置台１４ｂとの幅（間隔）が狭くなっているため、載置台の壁面にて眼内レンズ４０を左右方向から押すこととなる。その結果、眼内レンズ４０に応力が掛けられた状態となり、眼内レンズ４０は載置台１４ａ，１４ｂの壁面（載置面）に沿って折り曲げられることとなる。
【００３１】
装着部２１にカートリッジ１０を装着後、眼内レンズ挿入器具１を操作して眼内レンズ４０の挿入動作を行う。眼内レンズ挿入器具１の持ち方としては、例えば、注射器のシリンジを持つように術者の一方の手の親指を押出部３３に当て、押出動作を行う手の人差し指と中指の間に筒部２０の後端（フランジ２０ａの近傍）を位置させるとともに、他方の手を眼内レンズ挿入器具の筒部２０の先端側に添えて挿入器具を安定させる。さらに、押出部３３の押込による眼内レンズの押出動作を行う際、フランジ２０ａのカートリッジ１０側の側面部によって押出動作を行う手の人差し指が係止された状態となる（加えて、中指の一部が係止される場合もある）。
【００３２】
押出部３３を押して、押出棒３１を前方に移動させていく。押出棒３１は筒内を先端に向かって移動し、眼内レンズ４０を前方の挿入部１１に押していく。眼内レンズ４０は挿入部１１内に入り、さらに挿入部１１内部の壁面に沿って折り曲げられていく（丸め込まれていく）。その結果、挿入部１１の先端から小さく折り曲げられた眼内レンズ４０が眼内に押出されることとなる。眼内レンズ４０が挿入部先端から出始めると、徐々に開放されていく。このとき、術者は、眼内レンズの開放動作に応じて支持部４２の傾斜変化（回動）を打ち消す、いいかえれば、支持部４２の傾斜角度（回転角度）が患者眼の嚢の赤道面に対して略水平な状態を保つように、眼内レンズ４０の押出動作を行う手の中指を用いて筒部２０を所望するタイミングにて筒部２０の回転角度を調整する。
【００３３】
図６は指掛部５０に引掛けられる中指の末節部の位置と筒部２０の回転状態について説明する図である。図６（ａ）は押出動作の開始時点における図であり、指掛部５０の引掛面５０ａに引掛けられる中指の末節部は、術者の掌に対して開かれた状態となっている。ここで、術者によって筒部２０を挟持する中指が掌側に閉じられていくと、これに伴い、中指の末節部に引掛けられている指掛部５０が回転方向Ａ（中指が閉じられる方向）に回転移動されていく。これにより、フランジ２０ａを介して指掛部５０に連結されている筒部２０ａ（押出棒）が回転方向Ａ（本来、眼内レンズ４０の射出によって支持部４２が回転される方向（本実施形態では、時計回り）とは逆方向）に回転移動される。
【００３４】
ここで、眼内レンズの押出に伴い支持部４２が回転されていくため、術者は、支持部４２の傾斜変化を打ち消すように、指掛部５０に引掛けられた中指の末節部を用いて筒部２０ａを回転方向Ａに回転させていく。このようにして、筒部２０の回転状態が変更されていくと、図６（ｂ）のような回転状態を介して、図６（ｃ）のような回転状態に至る。図６（ｃ）は押出動作の完了時点での図であり、指掛部５０の引掛面５０ａに引掛けられた中指の末節部は、押出動作の開始時点に対して、術者の掌側に閉じられた状態となっている。なお、図６（ａ）〜図６（ｃ）に示すように、筒部２０の回転によって眼内レンズ支持部４２の傾斜角度が水平方向に維持されていることがわかる。
【００３５】
以上のように、指掛部５０に引っ掛けられる術者の中指が掌側に閉じられる動作によって、筒部２０の回転状態が術者の所望するタイミングにて変更可能であるため、眼内レンズ４０の回転動作を嚢内にて好適に制御することができる。また、眼内レンズ４０の押出動作及び筒部２０の回転動作を術者の片手で行うことができるので、使い勝手がよい。また、上記のような構成によれば、筒部２０の回転状態の調整を簡単な構成にて行うことが可能となる。
【００３６】
なお、指掛部５０の形状は、上記のような棒状に限るものではなく、指掛部５０の引掛面５０ａに末節部が引っ掛けられる中指の開閉動作によって筒部２０ａが回転される形状であればよい。例えば、指掛部５０をリング形状にしてもよいし、羽根状にしてもよい。なお、指掛部５０について、上記のように中指の末節部が引掛けられるような構成が好ましいが、中指の中節部が引掛けられるような構成であっても、一定の効果を得ることは可能である。
【００３７】
なお、図６に示した指掛部５０は左手を用いて使用することも可能である。この場合、術者の指の甲側が指掛部５０の引掛面５０ａに引掛けられた状態となり、指を開いていくことにより筒部２０が回転される。
【００３８】
以上のように、本実施形態では、押出部３３及び回転部材５０の両方を押出軸に対して回転可能としているが、これに限るものではなく、押出部３３を固定とし、回転部材５０のみを回転可能とさせてもよい。
【図面の簡単な説明】
【００３９】
【図１】本実施形態における眼内レンズ挿入器具の外観を示した図である。
【図２】眼内レンズの構成を示した図である。
【図３】本実施形態におけるカートリッジの外観を示した図である。
【図４】筒部の外観構成を示した図である。
【図５】筒部の側面断面を示した図である。
【図６】指掛部に引掛けられる中指の末節部の位置と筒部の回転状態について説明する図である。
【符号の説明】
【００４０】
１  眼内レンズ挿入器具
１０  カートリッジ
２０  筒部
２０ａ  フランジ
３０  押出機構部
４０  眼内レンズ
４２  支持部
５０  指掛部
５０ａ  引掛面
【図１】
2008212219.tif 000003
【図２】
2008212219.tif 000004
【図３】
2008212219.tif 000005
【図４】
2008212219.tif 000006
【図５】
2008212219.tif 000007
【図６】
2008212219.tif 000008